(57)【要約】上に配置されたチップ（４０）を備えたトランスポンダーフィルム（３０）と、接着層（５０）とを有するトランスポンダーラベルは、次の特徴を有している；接着層（５０）が、少なくともチップ（４０）の厚みに相当する厚み（ｄ）を有しており；チップ（４０）の領域内で、接着層（５０）に切欠き（５２）が設けられている。
2005519357.tif 000002
【特許請求の範囲】
【請求項１】
上に配置されたチップ（４０）を備えたトランスポンダーフィルム（３０）と、接着層（５０）とを有するトランスポンダーラベルにおいて、
−接着層（５０）が、少なくともチップ（４０）の厚みに相当する厚み（ｄ）を有し；
−チップ（４０）の領域内で、接着層（５０）に切欠き（５２）が設けられている、
ことを特徴とするトランスポンダーラベル。
【請求項２】
切欠き（５２）が、チップ（４０）の形状に適合された輪郭を有している、ことを特徴とする請求項１に記載のトランスポンダーラベル。
【請求項３】
トランスポンダーフィルム（３０）の、チップ（４０）とは逆の側に、プリント可能なカバー層（７０）が設けられている、ことを特徴とする請求項１または２に記載のトランスポンダーラベル。
【請求項４】
上に配置されたチップ（４０）を備えたトランスポンダーフィルム（３０）と、接着層（５０’）と、プリント可能なカバー層とを有するトランスポンダーラベルにおいて、
−接着層（５０’）が、トランスポンダーフィルム（３０）の、チップ（４０）とは逆の側に配置されており；
−チップ（４０）は、カバー層（７０’）内へ埋め込まれており、前記カバー層の厚み（ｄ’）は少なくともチップ厚みに相当し、かつ前記カバー層はチップ（４０）の領域に切欠き（７２’）を有している、
ことを特徴とするトランスポンダーラベル。
【請求項５】
切欠き（７２’）が、チップ（４０）の形状に適合された輪郭を有している、ことを特徴とする請求項４に記載のトランスポンダーラベル。
【請求項６】
カバー層（７０’７０’）が、プリント可能なカバーフィルムである、ことを特徴とする請求項３から５のいずれか１項に記載のトランスポンダーラベル。
【請求項７】
トランスポンダーフィルム（３０）および／またはカバー層（７０’７０’）および／または接着層（５０）が、重量をバランスさせるために用いられる切欠き（８０）を有している、ことを特徴とする請求項１から６のいずれか１項に記載のトランスポンダーラベル。
【請求項８】
トランスポンダーフィルム（３０）が、不透明な材料からなる、ことを特徴とする請求項１から７のいずれか１項に記載のトランスポンダーラベル。
【請求項９】
トランスポンダーフィルム（３０）が、カバーフィルムとして形成されている、ことを特徴とする請求項１、２または４から８のいずれか１項に記載のトランスポンダーラベル。
【請求項１０】
トランスポンダーフィルム（３０）は、その、チップとは逆の側にプリント可能である、ことを特徴とする請求項９に記載のトランスポンダーラベル。
【請求項１１】
接着層（５０）が、引き剥がし可能な支持体層、特にシリコンペーパーによって覆われている、ことを特徴とする請求項１から１０のいずれか１項に記載のトランスポンダーラベル。
【請求項１２】
接着層（５０）が、他のプリント可能な、あるいはプリント不可能なカバー層（６０’）と結合されている、ことを特徴とする請求項１から１０のいずれか１項に記載のトランスポンダーラベル。
【請求項１３】
トランスポンダーラベルが、クレジットカード、チップカードなどの形状を有している、ことを特徴とする請求項１２に記載のトランスポンダーラベル。
【発明の詳細な説明】
【技術分野】
【０００１】
本発明は、独立請求項１と４の上位概念に記載のトランスポンダーラベルに関する。
【背景技術】
【０００２】
トランスポンダーラベルは、対象を識別するために用いられる。
【０００３】
トランスポンダーは、エネルギ供給なしで形成されたパッシブな電子チップであって、そのチップはトランスポンダー読取り装置によって電磁的に励磁されて、電磁的な方法で、記憶されている情報を出力する。トランスポンダーチップは、ラベルの内部に配置することを許す、小さい寸法を備えたフラットな形状を有している。
【０００４】
多くの場合において、トランスポンダーラベルは、接着の前または後にプリントができるように形成される。
【０００５】
たとえば熱転写プリンタによる、プリントプロセスにおいて、チップの各出っ張りが障害となる。すなわちチップがわずかでも出っ張っていることによって、プリントヘッドはチップの箇所でラベルから持ち上がるので、トランスポンダーラベル上のチップの領域にプリントされない面が生じる可能性がある。従ってトランスポンダーラベルは、わずかでも突出する領域を持たない、できるだけ平坦な表面を持たなければならない。
【０００６】
特許文献１からは、プリント可能なオーバーフィルムと、隆起部内に電子的なトランスポンダーチップを有するチップ挿入片と、下側に設けられた接着層から引き剥がし可能な支持体シートとを有する、トランスポンダーラベルが知られている。このトランスポンダーラベルは、チップ挿入片が隆起部を備えた側において中間層と結合されており、その中間層は隆起部の領域に切欠きを有しており、その切欠きの深さは隆起部の高さに、少なくともほぼ相当することを特徴としている。隆起部内に配置されたトランスポンダーチップによって、そして隆起部に適合された、オーバーフィルムと支持体との間に配置された中間層によって、トランスポンダーラベルのほぼ平坦な、プリント可能な表面が得られる。
【０００７】
このトランスポンダーラベルにおける欠点は、複雑な構造である。すなわち、トランスポンダーチップをそのために専用に設けられた、チップ挿入片の隆起部内に配置しなければならないだけでなく、さらに中間層をこの隆起部に適合させることが必要である。隆起部と中間層は、さらに、トランスポンダーラベルの極めてフラットで、接着された状態においてほとんどじゃまにならない構造に反する厚みを有している。
【０００８】
【特許文献１】ＤＥ２００１８６４８Ｕ１
【発明の開示】
【発明が解決しようとする課題】
【０００９】
本発明の課題は、この分野のトランスポンダーラベルを、わずかな厚みの、簡単でできるだけフラットな構造を有し、特にチップの領域内に突出した領域が形成されないように、展開することである。
【課題を解決するための手段】
【００１０】
この課題は、冒頭で説明した種類のトランスポンダーラベルにおいて、独立請求項１と４の特徴によって解決される。
【００１１】
特に大きな利点は、本発明に基づくトランスポンダーラベルは２つの層のみ、上に配置されたチップを供えたトランスポンダーフィルムと、本発明の第１の形態の場合には接着層、ないしは本発明の第２の形態の場合にはカバー層のみを有しており、それらはチップの領域にそれぞれ切欠きを有しており、その切欠きの厚みは少なくともチップの厚みに相当する。それによってそれぞれ付加的な中間層を省くことができる。というのは、第１の場合においてはこの中間層をいわば接着層自体が形成し、他の本発明に基づく形態においては、プリント可能なカバー層が中間層を形成するからである。
【００１２】
この２層構造は、単純な構造を有する極めてフラットなトランスポンダーラベルの形成を可能にし、そのトランスポンダーラベルは接着層ないしはカバー層に設けられた、チップに適合された切欠きによって、その上側に何ら隆起部を持たず、従って最適にプリント可能である。
【００１３】
本発明の好ましい形態が、従属請求項の対象である。
【００１４】
その場合に切欠きは、純粋に原理的にはどんな任意の形状も有することができ、特に、たとえば丸い穴を打ち抜くことによって簡単に形成することができる。好ましい実施形態においては、切欠きの輪郭はチップの形状に適合されているので、チップの周囲に隙間が生じることはない。
【００１５】
上述した、本発明に基づく第１の形態の場合に、チップが接着層内にいわば埋め込まれて、この接着層によって担体上に固定されている場合には、トランスポンダーフィルムの、チップとは逆の側にプリント可能なカバー層を設けることができる。
【００１６】
本発明に基づく第１の形態においても、第２の形態においても、カバー層はプリント可能なカバーフィルムとして形成することができ、それは特にトランスポンダーラベルのフラットな構造に関して大きな利点であって、さらに容易に取り扱うこともできる。
【００１７】
特にＣＤ−ＲＯＭと組み合わせて使用するのに好ましい実施例においては、重量をバランスさせるために切欠きまたは穴をトランスポンダーフィルムおよび／またはカバー層および／または接着フィルムに、たとえば打抜きによって、設けることができる。
【００１８】
他の好ましい実施形態においては、不透明な材料からなるトランスポンダーフィルムが設けられる。
【００１９】
トランスポンダーフィルムは、さらに、好ましくはそれ自体カバーフィルムとして形成することができ、必要な場合にはその、チップとは逆の側にプリントすることができる。
【００２０】
トランスポンダーラベルを、特徴づけるべき担体上に接着する前に、支持体層、たとえばシリコンペーパーが引き剥がされる。
【００２１】
上述したトランスポンダーラベルは、自己接着するトランスポンダーラベルであって、担体上、たとえば対象上、ＣＤ−ＲＯＭ上などに貼り付けることができる。
【００２２】
自己接着しないトランスポンダーラベルの他の実施形態においては、担体自体が薄い層、たとえば他のプリント可能なカバーフィルムまたはカバー層である。
【００２３】
この種のトランスポンダーラベルは、たとえばクレジットカード、チップカードなどの形状も有することができ、このようにしてたとえば立入り権限などのために使用することができる。
【００２４】
本発明の他の利点と特徴は、以下の説明および幾つかの実施例の図面による表示の対象である。
【発明を実施するための最良の形態】
【００２５】
図１に全体を符号１０で示すトランスポンダーラベルは、たとえば円形の形状を有している。トランスポンダーラベル１０上に、チップ４０とアンテナ２２が配置されている。
【００２６】
トランスポンダーラベル１０の層構造が、図２に概略的に示されている。
【００２７】
チップ４０は、トランスポンダーフィルム３０上に配置されており、その場合にチップは接着層５０内にいわば埋め込まれており、その接着層は、たとえば接着フィルムとして形成することができ、厚みｄを有しており、その厚みは少なくともチップ４０の厚みに相当する。チップ４０の領域内に、接着層５０は切欠き５２を有しており、その切欠きの輪郭は、好ましくはチップ４０の形状に適合させることができる。
【００２８】
トランスポンダーフィルム３０は、同時にカバーフィルムとして形成することができ、必要な場合にはそのチップ４０とは逆の側にプリントすることができる。
【００２９】
図３に示す、他の実施例においては、図１と図２において説明した実施例の部材と等しい部材には、同一の参照符号が設けられているので、その説明に関しては第１の実施例の説明を内容全体において参照することができる。この実施例は、第１の実施例とは、カバーフィルム７０の形状の付加的なカバー層が設けられていることによって異なっており、そのカバー層は必要な場合にはプリントすることができる。
【００３０】
図４に示す、本発明に基づく他のトランスポンダーラベルにおいては、ここでも図１と２に示すトランスポンダーラベルと同一の部材は、同一の参照符号で示されているので、その説明に関しては第１と第２の実施例の説明を内容全体において参照することができる。
【００３１】
しかし、図１および図２と結びつけて、かつ図３と結びつけて上で説明したトランスポンダーラベルとは異なり、図４に示すトランスポンダーラベルにおいては、層構造はいわば逆である。チップ４０は、外側へ向かって露出して配置されており、それは問題なく可能である。というのは、その接続端はトランスポンダーフィルム３０へ向いた側に配置されており、たとえばフリップチップ技術で形成されて、接触されているからである。チップ４０自体は、カバー層７０’内に埋め込まれており、そのカバー層の厚みｄ’は、少なくともチップ４０の厚みに相当し、このカバー層は必要な場合にはプリント可能である。
【００３２】
チップ４０の領域において、カバー層７０’は切欠き７２’を有しており、その切欠きの形状はチップ４０の輪郭に適合され、あるいは単純に、たとえば打抜きなどによって、円形に形成することができる。
【００３３】
このトランスポンダーラベルにおいては、トランスポンダーフィルム３０の、チップ４０へ向いた側＊に、図４に示すように、たとえば極めて薄い接着フィルムの形状の、接着層５０’が配置されており、その接着層によってトランスポンダーラベルを支持体６０上に接着することができる。
【００３４】
上述したラベルを識別すべき担体上に接着する前に、支持体層、たとえばシリコンペーパーを引き剥がさなければならない。
【００３５】
上述したトランスポンダーラベルは、自己接着ラベルである。しかしさらに、このラベルを自己接着しないラベルとして形成することも可能である。この場合には、ラベルは支持体６０上に接着されるのではなく、支持体６０が層６０’によって形成され、その層はたとえば、トランスポンダーフィルム３０のように、あるいは−図３と組み合わせて説明した実施例の場合におけるように−フィルム７０のように形成される。この種の自己接着しないトランスポンダーラベルは、たとえばクレジットカード、チップカードの形状または他の任意の形状を有することができ、すなわちたとえば立入り権限カードとして使用することができる。
【図面の簡単な説明】
【００３６】
【図１】トランスポンダーラベルの上面図である。
【図２】本発明を使用した第１のトランスポンダーラベルを断面で示す側面図である。
【図３】図１に示すトランスポンダーラベルの第２の実施形態を断面で示す側面図である。
【図４】本発明を使用した他のトランスポンダーラベルを断面で示す側面図である。
【図１】
2005519357.tif 000003
【図２】
2005519357.tif 000004
【図３】
2005519357.tif 000005
【図４】
2005519357.tif 000006
【手続補正書】
【提出日】平成15年9月4日(2003.9.4)
【手続補正１】
【補正対象書類名】特許請求の範囲
【補正対象項目名】全文
【補正方法】変更
【補正の内容】
【特許請求の範囲】
【請求項１】
上に配置されたチップ（４０）を備えたトランスポンダーフィルム（３０）と、接着層（５０）とを備え、
−接着層（５０）が、チップ（４０）の厚みに相当する厚み（ｄ）を有し；
−チップ（４０）の領域内で、接着層（５０）に切欠き（５２）が設けられている、
トランスポンダーラベルにおいて、
切欠き（５２）が、チップ（４０）の形状に適合された輪郭を有している、
ことを特徴とするトランスポンダーラベル。
【請求項２】
トランスポンダーフィルム（３０）の、チップ（４０）とは逆の側に、プリント可能なカバー層（７０）が設けられている、ことを特徴とする請求項１に記載のトランスポンダーラベル。
【請求項３】
上に配置されたチップ（４０）を備えたトランスポンダーフィルム（３０）と、接着層（５０’）と、プリント可能なカバー層とを有する、トランスポンダーラベルにおいて、
−接着層（５０’）の、チップ（４０）とは逆の側にトランスポンダーフィルム（３０）が配置されており；
−チップ（４０）は、カバー層（７０’）内に埋め込まれており、前記カバー層の厚み（ｄ’）がチップ厚みに相当し、かつ前記カバー層はチップ（４０）の領域に切欠き（７２’）を有している、
ことを特徴とするトランスポンダーラベル。
【請求項４】
切欠き（７２’）は、チップ（４０）の形状に適合された輪郭を有している、ことを特徴とする請求項３に記載のトランスポンダーラベル。
【請求項５】
カバー層（７０；７０’）が、プリント可能なカバーフィルムである、ことを特徴とする請求項３から４のいずれか１項に記載のトランスポンダーラベル。
【請求項６】
トランスポンダーフィルム（３０）および／またはカバー層（７０；７０’）および／または接着層（５０）が、重量をバランスさせるために用いられる切欠き（８０）を有している、ことを特徴とする請求項１から５のいずれか１項に記載のトランスポンダーラベル。
【請求項７】
トランスポンダーフィルム（３０）が、不透明な材料からなる、ことを特徴とする請求項１から６のいずれか１項に記載のトランスポンダーラベル。
【請求項８】
トランスポンダーフィルム（３０）が、カバーフィルムとして形成されている、ことを特徴とする請求項１または３から７のいずれか１項に記載のトランスポンダーラベル。
【請求項９】
トランスポンダーフィルム（３０）の、チップとは逆の側がプリント可能である、ことを特徴とする請求項８に記載のトランスポンダーラベル。
【請求項１０】
接着層（５０）が、引き剥がし可能な支持体層、特にシリコンペーパーによって覆われている、ことを特徴とする請求項１から９のいずれか１項に記載のトランスポンダーラベル。
【請求項１１】
接着層（５０）が、他のプリント可能またはプリント不可能なカバー層（６０’）と結合されている、ことを特徴とする請求項１から９のいずれか１項に記載のトランスポンダーラベル。
【請求項１２】
トランスポンダーラベルが、クレジットカード、チップカードなどの形状を有している、ことを特徴とする請求項１１に記載のトランスポンダーラベル。
【国際調査報告】
2005519357.tif 000007
2005519357.tif 000008
2005519357.tif 000009
2005519357.tif 000010
2005519357.tif 000011
2005519357.tif 000012